(57)【要約】【課題】    シート状部材を一々上げなくても、簡易に人が出入りすることができる建物の出入り部開閉装置を提供する。【解決手段】    建物の出入り部開閉装置１は、建物の出入り部をシート状部材１１で開閉する建物の出入り部開閉装置１であって、シート状部材１１に取り付けられ、シート状部材１１の下方に位置し、シート状部材１１の幅方向に亘って設けられた長手形状の重し部材２と、シート状部材１１の縦方向に設けられると共に、人が出入りできる大きさの切り込み部３と、シート状部材１１に取り付けられ、切り込み部３を開閉するファスナー４とを備え、切り込み部３の下端部は、シート状部材１１の下端部まで達し、長手形状の重し部材２は、切り込み部３の下端部で分断し、分断した一方は第１の長手形状の重し部材２１であり、分断した他方は第２の長手形状の重し部材２２である。【選択図】図１
0003126193.tif 000002
【実用新案登録請求の範囲】
【請求項１】
建物の出入り部をシート状部材で開閉する建物の出入り部開閉装置であって、
前記シート状部材に取り付けられ、前記シート状部材の下方に位置し、前記シート状部材の幅方向に亘って設けられた長手形状の重し部材と、
前記シート状部材の縦方向に設けられると共に、人が出入りできる大きさの切り込み部と、
前記シート状部材に取り付けられ、前記切り込み部を開閉するファスナーとを備え、
前記切り込み部の下端部は、前記シート状部材の下端部まで達し、
前記長手形状の重し部材は、前記切り込み部の下端部で分断し、分断した一方は第１の長手形状の重し部材であり、分断した他方は第２の長手形状の重し部材である
ことを特徴とする建物の出入り部開閉装置。
【請求項２】
建物の出入り部をシート状部材で開閉する建物の出入り部開閉装置であって、
前記シート状部材に取り付けられ、前記シート状部材の下方に位置し、前記シート状部材の幅方向に亘って設けられた長手形状の重し部材と、
前記シート状部材の縦方向に設けられる第１の切り込み部と、
この第１の切り込み部に平行で、前記シート状部材の縦方向に設けられる第２の切り込み部と、
この第２の切り込み部と前記第１の切り込み部による切り込みの大きさは、少なくとも、一人が出入りできる大きさであり、
前記シート状部材に取り付けられ、前記第１の切り込み部を開閉する第１のファスナーと、
前記シート状部材に取り付けられ、前記第２の切り込み部を開閉する第２のファスナーとを備え、
前記第１の切り込み部の下端部は、前記シート状部材の下端部まで達し、
前記第２の切り込み部の下端部は、前記シート状部材の下端部まで達し、
前記シート状部材の端部は、前記建物の外から見て左から右の方向に、シート状部材の左端部、前記第１の切り込み部の下端部、前記第２の切り込み部の下端部、シート状部材の右端部の順で位置し、
前記長手形状の重し部材は、前記第１の切り込み部及び前記第２の切り込み部の下端部で分断し、分断した一方は前記第１の切り込み部の下端部から前記シート状部材の左端部に向かうように設けられた第１の長手形状の重し部材であり、分断した他方は前記第２の切り込み部の下端部から前記シート状部材の右端部に向かうように設けられた第２の長手形状の重し部材である
ことを特徴とする建物の出入り部開閉装置。
【請求項３】
第１の切り込み部の下端部と第２の切り込み部の下端部との間に、第３の長手形状の重し部材を位置させ、前記第３の長手形状の重し部材はシート状部材に取り付けられている
ことを特徴とする請求項２記載の建物の出入り部開閉装置。
【請求項４】
第１の長手形状の重し部材は、水平方向に変形可能な部材であり、
第２の長手形状の重し部材は、水平方向に変形可能な部材である
ことを特徴とする請求項１又は請求項２記載の建物の出入り部開閉装置。
【請求項５】
水平方向に変形可能な部材は、複数のチェーンを連結したもの、ロープ、弾性ゴムの内の何れかである
ことを特徴とする請求項４記載の建物の出入り部開閉装置。
【請求項６】
シート状部材は、通気性を有するものであることを特徴とする請求項１〜３記載の建物の出入り部開閉装置。
【考案の詳細な説明】
【技術分野】
【０００１】
本考案は、建物の出入り部開閉装置に係り、特に、シート状部材を一々上げなくても、簡易に人が出入りすることができる建物の出入り部開閉装置に関する 。
【背景技術】
【０００２】
本件考案者は、シート状部材を一々上げなくても、簡易に人が出入りすることができる建物の出入り部開閉装置を提案した（特許文献１参照）。
【０００３】
この建物の出入り部開閉装置は、建物の出入り部をシート状部材で閉の状態において、シート状部材を一々上げなくても、ファスナーを開放して、切り込み部を介して人が出入りすることができるようにしたもので、それなりの効果を奏している。
しかしながら、上述の建物の出入り部開閉装置にあっては、シート状部材の下方に、シート状部材の幅方向に亘って設けられた重し用の長手形状部材が位置し、前記切り込み部の下端部は、前記長手形状部材を超えず、前記長手形状部材の手前であるため、前記切り込み部を介して人が出入りする際、前記切り込み部の下端が前記長手形状部材の手前で止まっている分、狭く出入りしづらく、また、シート状部材の下端部に位置する長手形状部材に人がつまずいたり、更に、荷物を手押車で出入りする場合、前記長手形状部材を乗り越えるために、荷物を搭載した手押車を持ち上げる操作をしなければならず、利便性が良くないという問題点が生じた。
【特許文献１】実用新案登録第３１１７５１６号公報
【考案の開示】
【考案が解決しようとする課題】
【０００４】
本考案は、前記した問題点を除去するようにした建物の出入り部開閉装置を提供することを目的としている。
【課題を解決するための手段】
【０００５】
前記した目的を達成するための本考案の建物の出入り部開閉装置は、建物の出入り部をシート状部材で開閉する建物の出入り部開閉装置であって、前記シート状部材に取り付けられ、前記シート状部材の下方に位置し、前記シート状部材の幅方向に亘って設けられた長手形状の重し部材と、前記シート状部材の縦方向に設けられると共に、人が出入りできる大きさの切り込み部と、前記シート状部材に取り付けられ、前記切り込み部を開閉するファスナーとを備え、前記切り込み部の下端部は、前記シート状部材の下端部まで達し、前記長手形状の重し部材は、前記切り込み部の下端部で分断し、分断した一方は第１の長手形状の重し部材であり、分断した他方は第２の長手形状の重し部材である。
【０００６】
また、請求項２記載の建物の出入り部開閉装置は、建物の出入り部をシート状部材で開閉する建物の出入り部開閉装置であって、前記シート状部材に取り付けられ、前記シート状部材の下方に位置し、前記シート状部材の幅方向に亘って設けられた長手形状の重し部材と、前記シート状部材の縦方向に設けられる第１の切り込み部と、この第１の切り込み部に平行で、前記シート状部材の縦方向に設けられる第２の切り込み部と、この第２の切り込み部と前記第１の切り込み部による切り込みの大きさは、少なくとも、一人が出入りできる大きさであり、前記シート状部材に取り付けられ、前記第１の切り込み部を開閉する第１のファスナーと、前記シート状部材に取り付けられ、前記第２の切り込み部を開閉する第２のファスナーとを備え、前記第１の切り込み部の下端部は、前記シート状部材の下端部まで達し、前記第２の切り込み部の下端部は、前記シート状部材の下端部まで達し、前記シート状部材の端部は、前記建物の外から見て左から右の方向に、シート状部材の左端部、前記第１の切り込み部の下端部、前記第２の切り込み部の下端部、シート状部材の右端部の順で位置し、前記長手形状の重し部材は、前記第１の切り込み部及び前記第２の切り込み部の下端部で分断し、分断した一方は前記第１の切り込み部の下端部から前記シート状部材の左端部に向かうように設けられた第１の長手形状の重し部材であり、分断した他方は前記第２の切り込み部の下端部から前記シート状部材の右端部に向かうように設けられた第２の長手形状の重し部材である。
【０００７】
また、請求項３記載の建物の出入り部開閉装置は、請求項２記載の建物の出入り部開閉装置において、第１の切り込み部の下端部と第２の切り込み部の下端部との間に、第３の長手形状の重し部材を位置させ、前記第３の長手形状の重し部材はシート状部材に取り付けられているものである。
【０００８】
また、請求項４記載の建物の出入り部開閉装置は、請求項１又は２記載の建物の出入り部開閉装置において、第１の長手形状の重し部材は、水平方向に変形可能な部材であり、第２の長手形状の重し部材は、水平方向に変形可能な部材である。
【０００９】
また、請求項５記載の建物の出入り部開閉装置は、請求項４記載の建物の出入り部開閉装置において、水平方向に変形可能な部材は、複数のチェーンを連結したもの、ロープ、弾性ゴムの内の何れかである。
【００１０】
また、請求項６記載の建物の出入り部開閉装置は、請求項１〜３記載の建物の出入り部開閉装置において、シート状部材は、通気性を有するものである。
【考案の効果】
【００１１】
請求項１記載の建物の出入り部開閉装置によれば、切り込み部の下端部は、シート状部材の下端部まで達して開放されている分、人が出入りするスペースを大きくとることができ出入りし易く、しかも、長手形状の重し部材は、前記切り込み部の下端部で分断し、分断した一方は第１の長手形状の重し部材であり、分断した他方は第２の長手形状の重し部材となっているため、荷物を手押車で出入りする場合、従来のように、長手形状部材を乗り越えなくても、荷物を搭載した手押車を通過させることができ、利便性を向上させることができる。
【００１２】
また、請求項２記載の建物の出入り部開閉装置によれば、第１の切り込み部の下端部は、シート状部材の下端部まで達し、第２の切り込み部の下端部は、シート状部材の下端部まで達している分、人が出入りするスペースを大きくとることができ、出入りし易く、しかも、第１の切り込み部の下端部と第２の切り込み部の下端部との間のシート状部材を、例えば、巻き上げて、出入りする場合、従来のように、シート状部材の下端部に位置する長手形状部材に当たって人がつまずくのを防ぐことができ、更に、長手形状の重し部材は、第１の切り込み部及び第２の切り込み部の下端部で分断し、分断した一方は第１の切り込み部の下端部からシート状部材の左端部に向かうように設けられた第１の長手形状の重し部材であり、分断した他方は第２の切り込み部の下端部からシート状部材の右端部に向かうように設けられた第２の長手形状の重し部材となっているため、例えば、荷物を手押車で出入りする場合、従来のように、長手形状部材を乗り越えなくても、荷物を搭載した手押車を通過させることができ、利便性を向上させることができる。
【００１３】
また、請求項４記載の建物の出入り部開閉装置によれば、上述した請求項１又は請求項２記載の考案の効果に加え、第１の長手形状の重し部材及び第２の長手形状の重し部材は、水平方向に変形可能な部材であるため、人が出入りするスペースを取り易いと共に、切り込み部（又は、第１の切り込み部、第２の切り込み部）を押し広げた際、第１の長手形状の重し部材及び第２の長手形状の重し部材の端部へ荷重の負担を軽減し、第１の長手形状の重し部材及び第２の長手形状の重し部材の端部の変形をも防止することができる。
【考案を実施するための最良の形態】
【００１４】
本考案の一実施例である建物の出入り部開閉装置を図面を参照して説明する。
（実施例１）
図１〜図５において、１は建物の出入り部開閉装置で、建物の出入り部開閉装置１は、建物の出入り部を通気性のシート状部材１１で開閉するもので、建物の出入り部開閉装置１には、通気性のシート状部材１１の他に通気性のシート状部材１１の前、又は後に金属製のシャッター（図示せず）が併設されている。
【００１５】
建物の出入り部開閉装置１は、概略的に、通気性のシート状部材１１と、この通気性のシート状部材１１の両端部を案内する溝部を有した左側フレーム１２、右側フレーム１３と、通気性のシート状部材１１を巻き取るドラム部１４とから、構成されている。
１５は、ドラム部１４を覆う覆い部である。ドラム部１４の回転は、図示しないチェーン等を使って手動でも、また、モータ（図示せず）によって正逆に回転して、通気性のシート状部材１１をドラム部１４に巻き取るようにしても良い。
【００１６】
通気性のシート状部材１１は、建物の中へ風を通すように通気性を有し、例えば、横材１１ａと縦材１１ｂからなる合成樹脂製の網体であり、メッシュ状の開口部を多数有している。図１に示す２は、通気性のシート状部材１１に取り付けられた長手形状の重し部材で、長手形状の重し部材２は、通気性のシート状部材１１の下方に位置し、通気性のシート状部材１１の幅方向に亘って設けられている。
この長手形状の重し部材２は、例えば、金属製部材で形成され、より具体的には、鉄製のフラットバーで、該フラットバーの周囲を図示しないスポンジを介して通気性のシート状部材１１に取り付けられている。
【００１７】
図３に示す３は、人が出入りできる大きさの切り込み部、切り込み部３は、通気性のシート１１の縦方向に設けられると共に、人が出入りできる大きさ（例えば、切り込み部３の長さは、約１７００ｍｍで、切り込み部３の下端部は、通気性のシート状部材１１の下端部まで達し、上述した長手形状の重し部材２は、切り込み部３の下端部で分断し、分断した一方は第１の長手形状の重し部材２１であり、分断した他方は第２の長手形状の重し部材２２となっている（図１参照）。
第１の長手形状の重し部材２１及び第２の長手形状の重し部材２２は、鉄製のフラットバーでも良いが、望ましくは、水平方向に変形可能な部材であり、具体的には、複数のチェーンを連結したもの（図１及び図４参照）、ロープ、弾性ゴム等である。
これは、後述するファスナー４により切り込み部３を開いても（図３参照）、通気性のシート状部材１１の下端部は、水平方向に変形可能な部材であると、人が出入りするスペースを取り易いと共に、切り込み部３を押し広げた際、中途で変形するため、第１の長手形状の重し部材２１及び第２の長手形状の重し部材２２の端部へ荷重の負担を軽減させ、第１の長手形状の重し部材２１及び第２の長手形状の重し部材２２の端部の変形をも防止することができるからである。
【００１８】
図１に示す４は、切り込み部３を開閉するファスナーで、ファスナー４は、通気性のシート状部材１１に取り付けられている。
ファスナー４は、ジッパーテープ４１の左側に取り付けられた左側務歯（ティース）４２と、ジッパーテープ４１の右側に取り付けられた右側務歯（ティース）４３と、左側務歯４２と右側務歯４３とのかみ合わせ及び該かみ合わせを解除するスライド４４と、このスライド４４を引っ張る引き手４５とを有し、この引き手４５は通気性のシート状部材１１の建物の内側に面する側の第１の引き手４５ａと前記建物の外側に面する側の第２の引き手４５ｂとを有している。
なお、ファスナー４の引き手４５が通気性のシート状部材１１の建物の内側に面する側の第１の引き手４５ａと前記建物の外側に面する側の第２の引き手４５ｂとを有しているのは、人が建物の内外にかかわらず、どちらの側にいてもファスナー４の引き手４５（第１の引き手４５ａ又は第２の引き手４５ｂ）を持って、切り込み部３を開閉して、切り込み部３を介して人が出入りすることができるようにするためである。
【００１９】
なお、上述した実施例１にあっては、通気性のシート状部材１１としたが、本考案にあっては、これに限らず、通気性がないシート状部材１１にも同様に適用できるものである。
【００２０】
従って、この建物の出入り部開閉装置１によれば、シート状部材１１（通気性のシート状部材１１とした場合）を介して、建物内に風を導くことができ、また、建物の出入り部をシート状部材１１で閉の状態において、シート状部材１１を一々昇降しなくても、ファスナー４を開放して、図３に示すように、切り込み部３を介して人が出入りすることができる。
なお、特に、切り込み部３の下端部は、シート状部材１１の下端部まで達して開放されている分、人が出入りするスペースを大きくとることができるため、出入りし易く、しかも、長手形状の重し部材２は、切り込み部３の下端部で分断し、分断した一方は第１の長手形状の重し部材２１であり、分断した他方は第２の長手形状の重し部材２２となっているため、荷物を手押車１０（図３参照）で出入りする場合、従来のように、長手形状部材を乗り越えなくても、荷物を搭載した手押車１０を通過させることができ、利便性を向上させることができる。
【００２１】
（実施例２）
上述した実施例１にあっては、切り込み部３を１個設けたが、本考案にあっては、これに限らず、図６及び図７に示すように、切り込み部３を２個設けるようにしても良い。
なお、実施例２においては、図６及び図７に上述した実施例１と同一部分に同一符号を付して、その説明を一部省略する。
即ち、切り込み部は、図６に示すように、通気性のシート状部材１１の縦方向に設けられる第１の切り込み部３’と、この第１の切り込み部３’に平行で、通気性のシート状部材１１の縦方向に設けられる第２の切り込み部３”とを備えている。この第２の切り込み部３”と第１の切り込み部３’による切り込みの大きさは、少なくとも、一人が出入りできる大きさであれば良い。
【００２２】
また、第１の切り込み部３’の下端部は、通気性のシート状部材１１の下端部まで達し、第２の切り込み部３”の下端部は、第１の切り込み部３’の下端部と同様に、通気性のシート状部材１１の下端部まで達するようになっている（図６及び図７参照）。
そして、通気性のシート状部材１１の端部は、図６に示すように、建物の外から見て左から右の方向に、シート状部材１１の左端部Ａ、第１の切り込み部３’の下端部Ｂ、第２の切り込み部３”の下端部Ｃ、シート状部材１１の右端部Ｄの順に位置するようになっている。
【００２３】
また、図６に示す２は、通気性のシート状部材１１に取り付けられた長手形状の重し部材で、長手形状の重し部材２は、通気性のシート状部材１１の下方に位置し、通気性のシート状部材１１の幅方向に亘って設けられている。
この長手形状の重し部材２は、第１の切り込み部３’及び第２の切り込み部３”の下端部で分断し、分断した一方は第１の切り込み部の下端部Ｂからシート状部材の左端部Ａに向かうように設けられた第１の長手形状の重し部材２１であり、分断した他方は第２の切り込み部３”の下端部Ｃからシート状部材１１の右端部Ｄに向かうように設けられた第２の長手形状の重し部材２２となっている。  
【００２４】
なお、第１の切り込み部３’の下端部Ｂと第２の切り込み部３”の下端部Ｃとの間に、第３の長手形状の重し部材２３を位置させ、第３の長手形状の重し部材２３は通気性のシート状部材１１に取り付けるようにしているが、場合により、第１の切り込み部３’の下端部Ｂと第２の切り込み部３”の下端部Ｃとの間には、第３の長手形状の重し部材２３を省略するようにしても良い。
また、第１の長手形状の重し部材２１、第２の長手形状の重し部材２２及び第３の長手形状の重し部材２３は、上述した実施例と同様、鉄製のフラットバーでも良いが、望ましくは、水平方向に変形可能な部材であり、具体的には、複数のチェーンを連結したもの、ロープ、弾性ゴム等である。なお、第１の長手形状の重し部材２１、第２の長手形状の重し部材２２及び第３の長手形状の重し部材２３の周囲には、上述の実施例と同様に、図示しないスポンジを介して通気性のシート状部材１１に取り付けられている。
【００２５】
また、４’は、第１の切り込み部３’を開閉する第１のファスナーで、第１のファスナー４’は、ジッパーテープ４１’の左側に取り付けられた左側務歯（ティース）４２’と、ジッパーテープ４１’の右側に取り付けられた右側務歯（ティース）４３’と、左側務歯４２’と右側務歯４３’とのかみ合わせ及び該かみ合わせを解除するスライド４４’と、このスライド４４’を引っ張る引き手４５’とを有している。
また、４”は、第２の切り込み部３”を開閉する第２のファスナーで、第２のファスナー４”は、ジッパーテープ４１”の左側に取り付けられた左側務歯（ティース）４２”と、ジッパーテープ４１”の右側に取り付けられた右側務歯（ティース）４３”と、左側務歯４２”と右側務歯４３”とのかみ合わせ及び該かみ合わせを解除するスライド４４”と、このスライド４４”を引っ張る引き手４５”とを有している。
【００２６】
なお、上述した実施例２にあっては、実施例１と同様に、通気性のシート状部材１１に限らず、通気性がないシート状部材１１にも同様に適用できるものである。
【００２７】
従って、この建物の出入り部開閉装置１によれば、第１の切り込み部３’の下端部Ｂは、シート状部材１１の下端部まで達し、第２の切り込み部３”の下端部Ｃは、シート状部材１１の下端部まで達している分、人が出入りするスペースを大きくとることができ、出入りし易く、しかも、第１の切り込み部３の下端部Ｂと第２の切り込み部３”の下端部Ｃとの間のシート状部材１１を図７に示すように巻き上げて、出入りする場合、従来のように、シート状部材の下端部に位置する長手形状部材に当たって人がつまずくのを防ぐことができ、更に、長手形状の重し部材２は、第１の切り込み部３’及び第２の切り込み部３”の下端部Ｂ、Ｃで分断し、分断した一方は第１の切り込み部３’の下端部Ｂからシート状部材１１の左端部Ａに向かうように設けられた第１の長手形状の重し部材２１であり  、分断した他方は第２の切り込み部３”の下端部Ｃからシート状部材１１の右端部Ｄに向かうように設けられた第２の長手形状の重し部材２２となっているため、荷物を手押車１０（図７参照）で出入りする場合、従来のように、長手形状部材を乗り越えなくても、荷物を搭載した手押車１０を通過させることができ、利便性を向上させることができる。
【図面の簡単な説明】
【００２８】
【図１】図１は、本考案の建物の出入り部開閉装置の概略的正面図である。
【図２】図２は、図１の２−２線による概略的断面図である。
【図３】図３は、図１のファスナー操作により切り込み部を開いた状態の建物の出入り部開閉装置の使用状態の概略的斜視図である。
【図４】図４は、図１の一部を拡大して示す概略的一部拡大正面図である。
【図５】図５は、図４の５−５線による概略的断面図である。
【図６】図６は、図１の建物の出入り部開閉装置と異なる他の実施例の概略的正面図である。
【図７】図７は、図６のファスナー操作により切り込み部を開いた状態の建物の出入り部開閉装置の使用状態の概略的斜視図である。
【符号の説明】
【００２９】
１  …建物の出入り部開閉装置
２  …長手形状の重し部材
２１…第１の長手形状の重し部材
２２…第２の長手形状の重し部材
３… 切り込み部
４…ファスナー
１１…シート状部材
【図１】
0003126193.tif 000003
【図２】
0003126193.tif 000004
【図３】
0003126193.tif 000005
【図４】
0003126193.tif 000006
【図５】
0003126193.tif 000007
【図６】
0003126193.tif 000008
【図７】
0003126193.tif 000009
【手続補正書】
【提出日】平成18年8月16日(2006.8.16)
【手続補正１】
【補正対象書類名】実用新案登録請求の範囲
【補正対象項目名】全文
【補正方法】変更
【補正の内容】
【実用新案登録請求の範囲】
【請求項１】
建物の出入り部をシート状部材で開閉する建物の出入り部開閉装置であって、
前記シート状部材に取り付けられ、前記シート状部材の下方に位置し、前記シート状
部材の幅方向に亘って設けられた長手形状の重し部材と、
前記シート状部材の縦方向に設けられると共に、人が出入りできる大きさの切り込み
部と、
前記シート状部材に取り付けられ、前記切り込み部を開閉するファスナーとを備え、
前記切り込み部の下端部は、前記シート状部材の下端部まで達し、
前記長手形状の重し部材は、前記切り込み部の下端部で分断し、分断した一方は第１
の長手形状の重し部材であり、分断した他方は第２の長手形状の重し部材である
ことを特徴とする建物の出入り部開閉装置。
【請求項２】
建物の出入り部をシート状部材で開閉する建物の出入り部開閉装置であって、
前記シート状部材に取り付けられ、前記シート状部材の下方に位置し、前記シート状
部材の幅方向に亘って設けられた長手形状の重し部材と、
前記シート状部材の縦方向に設けられる第１の切り込み部と、
この第１の切り込み部に平行で、前記シート状部材の縦方向に設けられる第２の切り
込み部と、
この第２の切り込み部と前記第１の切り込み部による切り込みの大きさは、少なく
とも、一人が出入りできる大きさであり、
前記シート状部材に取り付けられ、前記第１の切り込み部を開閉する第１のファスナ
ーと、
前記シート状部材に取り付けられ、前記第２の切り込み部を開閉する第２のファスナ
ーとを備え、
前記第１の切り込み部の下端部は、前記シート状部材の下端部まで達し、
前記第２の切り込み部の下端部は、前記シート状部材の下端部まで達し、
前記シート状部材の端部は、前記建物の外から見て左から右の方向に、シート状部材
の左端部、前記第１の切り込み部の下端部、前記第２の切り込み部の下端部、シート状部
材の右端部の順で位置し、
前記長手形状の重し部材は、前記第１の切り込み部及び前記第２の切り込み部の下端
部で分断し、分断した一方は前記第１の切り込み部の下端部から前記シート状部材の左端
部に向かうように設けられた第１の長手形状の重し部材であり、分断した他方は前記第２
の切り込み部の下端部から前記シート状部材の右端部に向かうように設けられた第２の長
手形状の重し部材である
ことを特徴とする建物の出入り部開閉装置。
【請求項３】
第１の切り込み部の下端部と第２の切り込み部の下端部との間に、第３の長手形状
の重し部材を位置させ、前記第３の長手形状の重し部材はシート状部材に取り付けられて
いる
ことを特徴とする請求項２記載の建物の出入り部開閉装置。
【請求項４】
第１の長手形状の重し部材は、水平方向に変形可能な部材であり、
第２の長手形状の重し部材は、水平方向に変形可能な部材である
ことを特徴とする請求項１又は請求項２記載の建物の出入り部開閉装置。
【請求項５】
水平方向に変形可能な部材は、複数のチェーンを連結したもの、ロープ、弾性ゴムの
内の何れかである
ことを特徴とする請求項４記載の建物の出入り部開閉装置。
【請求項６】
シート状部材は、通気性を有するものであることを特徴とする請求項１〜３のいずれか１項に記載の建物の出入り部開閉装置。
【手続補正２】
【補正対象書類名】明細書
【補正対象項目名】００１０
【補正方法】変更
【補正の内容】
【００１０】
また、請求項６記載の建物の出入り部開閉装置は、請求項１〜３のいずれか１項に記載の建物の出入り部開閉装置において、シート状部材は、通気性を有するものである。